(57)【要約】      （修正有）【課題】不正開封防止コンテナを提供する。【解決手段】開口部周縁に第一中空型凸状リング２１１を有しているコンテナ本体２１０と、第二中空型凸状リング２２１及び作動力構造２２２を有し、第二中空型凸状リングは第一中空型凸状リングに包接するために用い、作動力構造は第二中空型凸状リングにより包囲された領域内に位置し、第二中空型凸状リングの環状上面には環状の易断裂線２２１ａが設けられているカバー２２０と、を備えている。正常に開封操作する場合、作動力構造はユーザーが引っ張る或いは押圧する縦力により環状の易断裂線が断裂し、環状の易断裂線により囲まれた領域からカバーが分離する。不正者がカバーの第二中空型凸状リングの何れか一部の領域から開封することで一部の領域の上方への変位が閾値を超えると、環状の易断裂線の対応している一部の領域が断裂して不正開封防止コンテナ２００が不正に開封されたことが分かる。【選択図】図５
0003232514.tif 000002
【実用新案登録請求の範囲】
【請求項１】
開口部周縁に第一中空型凸状リングを有しているコンテナ本体と、
第二中空型凸状リング及び作動力構造を有し、前記第二中空型凸状リングは前記第一中空型凸状リングに包接するために用い、前記作動力構造は前記第二中空型凸状リングにより包囲された領域内に位置し、且つ前記第二中空型凸状リングの環状上面には環状の易断裂線が設けられているカバーと、を備え、
正常に開封操作する場合、前記作動力構造はユーザーが引っ張る或いは押圧する縦力により前記環状の易断裂線が断裂し、前記環状の易断裂線により囲まれた領域が前記カバーから分離し、不正者が前記カバーの前記第二中空型凸状リングの何れか一部の領域から開封することで前記一部の領域の上方への変位が閾値を超えると、前記環状の易断裂線の対応している一部の領域が断裂して不正に開封されたことが分かることを特徴とする不正開封防止コンテナ。
【請求項２】
前記カバーはプラスチックで製造されていることを特徴とする請求項１に記載の不正開封防止コンテナ。
【請求項３】
前記コンテナ本体はプラスチックで製造されていることを特徴とする請求項１に記載の不正開封防止コンテナ。
【請求項４】
前記コンテナ本体は透明なコンテナ本体であることを特徴とする請求項１に記載の不正開封防止コンテナ。
【請求項５】
前記コンテナ本体の形状は円形または多辺形であることを特徴とする請求項１に記載の不正開封防止コンテナ。
【考案の詳細な説明】
【技術分野】
【０００１】
本考案は、フードデリバリーコンテナに関し、更に詳しくは、不正開封防止コンテナに関する。
【背景技術】
【０００２】
商工社会の形成により、人々の飲食習慣に大きな変化がもたらされており、それが最も顕著に表れているのが外食人口の大幅な増加である。外食族にとっては、弁当、ランチボックス、ファストフードが最も便利で経済的な飲食方式である。また、現在世界的なパンデミックのために外食族のみならず多くの家庭でも、外出を減らすためにフードデリバリーサービスを利用する機会が増えている。
【０００３】
しかしながら、最近ではデリバリースタッフが食品を勝手に食べてしまう事例が発生しており、消費者にとって不安の種となっているほか、デリバリーサービスプラットフォーム及び店側の信頼をも傷つけることとなっている。
【０００４】
上記課題を解決するために、従来の特許文献では、例えば、下記特許文献１には不正開封防止コンテナが記載されている。前記不正開封防止コンテナは弁当箱を改良し、注文者が食品を受け取った際に弁当箱の外周縁に設けられている識別部材が完全であるか否かにより前記食品が何者かにより手を付けられたか否かを判断可能となっている。
【０００５】
しかし、前記識別部材は前記弁当箱の外周縁に位置しているため、業者が食品を包装してコンテナの蓋を起こす際に、前記識別部材の易断裂線に接触して前記識別部材を断裂させてしまい、注文者が前記食品が何者かにより手を付けられたか否か判断できなくなり、店側の信頼が損なわれることがあった。
【先行技術文献】
【特許文献】
【０００６】
【特許文献１】台湾登録実用新案第M581097号公報
【考案の概要】
【考案が解決しようとする課題】
【０００７】
そこで、本考案者は上記の欠点が改善可能と考え、鋭意検討を重ねた結果、合理的設計で上記の課題を効果的に改善する本考案の提案に至った。
【０００８】
本考案は前記技術的課題に鑑みて開発されたものであり、不正開封防止コンテナを提供することを目的とする。つまり、本考案はコンテナの周縁に環状の易断裂線を設け、前記コンテナの周縁の何れか一箇所が開封されると、開封された証拠が残るようにしている。
【０００９】
本考案の他の目的は、不正開封防止コンテナを提供する。つまり、本考案は前記コンテナの一カバーの中間領域に作動力構造を設置することで、正規のユーザーが縦力を付勢して前記環状の易断裂線を断裂することで前記カバーを開けるようになっている。
【００１０】
本考案のさらなる他の目的は、不正開封防止コンテナを提供する。すなわち、前記環状の易断裂線が断裂し、前記カバーの前記環状の易断裂線の外にある周縁が除去された後、前記カバーの余剰部分がなおも前記コンテナのコンテナ本体に蓋をする。
【課題を解決するための手段】
【００１１】
上記課題を解決するために、本考案のある態様の不正開封防止コンテナは、
開口部周縁に第一中空型凸状リングを有しているコンテナ本体と、
第二中空型凸状リング及び作動力構造を有し、前記第二中空型凸状リングは前記第一中空型凸状リングに包接するために用い、前記作動力構造は前記第二中空型凸状リングにより包囲された領域内に位置し、且つ前記第二中空型凸状リングの環状上面には環状の易断裂線が設けられているカバーと、を備え、
正常に開封操作する場合、前記作動力構造はユーザーが引っ張る或いは押圧する縦力により前記環状の易断裂線が断裂し、前記環状の易断裂線により囲まれた領域が前記カバーから分離し、不正者が前記カバーの前記第二中空型凸状リングの何れか一部の領域から開封することで前記一部の領域の上方への変位が閾値を超えると、前記環状の易断裂線の対応している一部の領域が断裂して不正に開封されたことが分かる。
【００１２】
本考案の好適例において、前記カバーはプラスチックで製造されている。
【００１３】
本考案の好適例において、前記コンテナ本体はプラスチックで製造されている。
【００１４】
本考案の好適例において、前記コンテナ本体は透明なコンテナ本体である。
【００１５】
本考案の好適例において、前記コンテナ本体の形状は円形または多辺形である。
【００１６】
本明細書及び図面の記載により、少なくとも、以下の事項が明らかとなる。
【図面の簡単な説明】
【００１７】
【図１】本考案の一実施形態に係る不正開封防止コンテナを模式的に示した傾斜図である。
【図２】図１に示す不正開封防止コンテナの他の概略傾斜図である。
【図３】図１に示す不正開封防止コンテナの使用状態概略図である。
【図４】本考案の他の実施形態に係る不正開封防止コンテナを模式的に示した傾斜図である。
【図５】本考案のさらなる他の実施形態に係る不正開封防止コンテナを模式的に示した分解図である。
【図６】図５に示す不正開封防止コンテナを示す概略構成図である。
【図７】図５に示す不正開封防止コンテナが前記環状の易断裂線の断裂後に分離して２つの部分となる概略図である。
【図８】違法者が図５に示す不正開封防止コンテナの周縁を開封すると、環状の易断裂線が部分的に切れる概略図である。
【図９】違法者が図５に示す不正開封防止コンテナの周縁を開封すると、環状の易断裂線が部分的に断裂される概略図である。
【考案を実施するための形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１９】
図１は本考案の一実施形態に係る不正開封防止コンテナを模式的に示した傾斜図である。図２は図１に示す不正開封防止コンテナの他の概略傾斜図である。図３は図１に示す不正開封防止コンテナの使用状態概略図である。図４は本考案の他の実施形態に係る不正開封防止コンテナを模式的に示した傾斜図である。不正開封防止コンテナ１００はコンテナ本体１と、カバー２と、作動力構造３と、を備えている。
【００２０】
図１を参照すれば、前記コンテナ本体１は前記コンテナ本体１の上部の外縁箇所に形成されている係合凸部１１を備えている。前記コンテナ本体１内の収容空間に食品が収容される。コンテナ本体１の外形は半円状または矩形状に類似している。
【００２１】
前記カバー２は上部２１と、底部２２と、係合溝部２３と、易断裂線２４と、を備えている。前記係合溝部２３は前記カバー２の辺縁に設けられ、前記係合凸部１１と係合されて係合構造４を形成し、前記コンテナ本体１及び前記カバー２を互いに緊密に結合するために用いている（図１と図２参照）。
【００２２】
図２に示すように、前記易断裂線２４は破線状を呈し、且つ前記カバー２を巻回している。ユーザーは前記カバー上部２１及び底部２２から前記易断裂線２４を観察できる。また、前記易断裂線２４は前記カバーの上部２１に沿って形状範囲２５を巻回し、前記形状範囲２５の形状は柄杓状、水滴状、矩形状、或いは不規則形状を呈している。
【００２３】
また、前記作動力構造３は第一凹溝３１と、第二凹溝３２と、第三凹溝３３と、を備えている。前記第一凹溝３１、第二凹溝３２、及び第三凹溝３３は共に前記カバー上部２１内から凹設され、その形状は矩形、半円形、半楕円形、或いは他の幾何学形状を呈している。前記第一凹溝３１、第二凹溝３２、及び第三凹溝３３は間隔を空けて設けられ、その間隔をＤとする。前記作動力構造３は少なくとも１つの前記形状範囲２５内の一箇所に設置されている。
【００２４】
図３を参照すれば、前記作動力構造３が外力により引っ張られるか押圧されると、前記形状範囲２５が前記カバー２から分離する。詳しくは、外力により前記作動力構造３が引っ張られるか押圧されて前記易断裂線２４が断裂し、前記カバー２の前記易断裂線２４が巻回している前記形状範囲２５が前記カバー２から分離され、ユーザーが不正開封防止コンテナ１００の内容物を取り出せるようになる。
【００２５】
また、図４に示すように、本考案に係る不正開封防止コンテナ１００は折曲実線５をさらに備えている。前記折曲実線５は前記不正開封防止コンテナ１００のうちの一側に嵌合され、前記コンテナ本体１及び前記カバー２のうちの一側に連接されている。
【００２６】
また、図５と図６を併せて参照し、図５は本考案のさらなる他の実施形態に係る不正開封防止コンテナを模式的に示した分解図である。図６は図５に示す不正開封防止コンテナを示す概略構成図である。
【００２７】
図５と図６に示すように、不正開封防止コンテナ２００はコンテナ本体２１０及びカバー２２０を備えている。前記コンテナ本体２１０及び前記カバー２２０はプラスチックで製造され、前記コンテナ本体２１０は透明なコンテナ本体である。
【００２８】
コンテナ本体２１０の開口部周縁には第一中空型凸状リング２１１を有している。カバー２２０は第二中空型凸状リング２２１及び作動力構造２２２を有し、前記第二中空型凸状リング２２１は前記第一中空型凸状リング２１１に包接するために用い、且つ前記第二中空型凸状リング２２１の環状上面には環状の易断裂線２２１ａが設けられている。前記作動力構造２２２は前記第二中空型凸状リング２２１により包囲された領域内に位置し、注文者が引っ張るまたは押圧することで前記環状の易断裂線２２１ａを断裂するための複数の凹型構造または凸型構造を有し、前記カバー２２０内の前記環状の易断裂線２２１ａにより囲まれる範囲が前記カバー２２０から分離し、これにより注文者可が不正開封防止コンテナ２００の内容物を取り出せるようになる。図７は不正開封防止コンテナ２００が前記環状の易断裂線２２１ａの断裂後に分離して２つの部分となる概略図を示し、前記第二中空型凸状リング２２１が前記カバー２２０に残留する第一環状凸エッジ２２１ｂ及び第一中空型凸状リング２１１に貼付される第二環状凸エッジ２２１ｃに分かれ、前記第一環状凸エッジ２２１ｂが第一中空型凸状リング２１１に貼付されることにより、前記カバー２２０が必要に応じてコンテナ本体２１０を被覆する。
【００２９】
また、ちなみに、食品を包装する者がコンテナ本体２１０とカバー２２０とを結合させる場合、前記第二中空型凸状リング２２１を前記第一中空型凸状リング２１１に包接させた後、何者か（例えば、デリバリースタッフ）がカバー２２０の周縁から不正にカバー２２０を開封した場合、前記第二中空型凸状リング２２１及び前記第一中空型凸状リング２１１が包接状態にあるため、前記カバー２２０を不正に開封する動作により前記環状の易断裂線２２１ａの対応している領域に応力が発生し、前記対応している領域が断裂する。具体的には、不正者が前記カバー２２０の前記第二中空型凸状リング２２１の何れか一部の領域から開封動作を行うことで前記一部の領域の上方への変位が閾値を超えると、前記環状の易断裂線２２１ａの対応している一部の領域が断裂し、これにより前記不正開封防止コンテナ２００が不正に開封されたことが示される（図８と図９参照）。
【００３０】
また、この実施例では前記コンテナ本体２１０が円形を呈しているが、本考案はこれに限らず、三角形、四辺形、他の多辺形のような他の幾何学形状を呈していてもよい。
【００３１】
本考案の不正開封防止コンテナによれば、次のような効果がある。
１．本考案に係る不正開封防止コンテナはコンテナの周縁に環状の易断裂線が設けられ、前記コンテナの周縁の何れか一部の箇所が不正に開封されるとその証拠が残る。
２．本考案に係る不正開封防止コンテナは前記コンテナの一カバーの中間領域に作動力構造が設置され、正規のユーザーが縦力を付勢して前記環状の易断裂線を断裂し、前記カバーを開いて内容物を取り出すことができる。
３．本考案に係る不正開封防止コンテナは前記環状の易断裂線が断裂し、前記カバーの前記環状の易断裂線の外にある周縁が除去された後、前記カバーの余剰部分が前記コンテナのコンテナ本体を被覆して保温或いは汚染防止効果を提供する。
【００３２】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【符号の説明】
【００３３】
２００  不正開封防止コンテナ
２１０  コンテナ本体
２１１  第一中空型凸状リング
２２０  カバー
２２１  第二中空型凸状リング
２２１ａ  環状の易断裂線
２２１ｂ  第一環状凸エッジ
２２１ｃ  第二環状凸エッジ
２２２  作動力構造
【図１】
0003232514.tif 000003
【図２】
0003232514.tif 000004
【図３】
0003232514.tif 000005
【図４】
0003232514.tif 000006
【図５】
0003232514.tif 000007
【図６】
0003232514.tif 000008
【図７】
0003232514.tif 000009
【図８】
0003232514.tif 000010
【図９】
0003232514.tif 000011